(57)【要約】【課題】調湿性能を向上でき、必要に応じて、異なる形態で木質パネルを取り付けることができる木質パネルの取付構造を提供する。【解決手段】本発明は、屋内壁面Ｗに沿って複数の木質パネル１が並べて施工される木質パネルの取付構造を対象とする。本発明は、両側にパネル支持部が設けられる狭幅体６と、両側にパネル支持部が設けられ、かつ狭幅体６よりも幅が広い広幅体７とを有する取付金具５を備える。この取付金具５によって、隣り合う木質パネル１，１の対向縁部２，３が近接して配置されるパネル間近接形態と、隣り合う木質パネル１，１の対向縁部２，３が離間して配置されるパネル間隔離形態とのいずれの形態でも、木質パネル１を施工できるように構成されている。【選択図】図３Ａ
2011006868.tif 000002
【特許請求の範囲】
【請求項１】
屋内壁面に沿って複数の木質パネルが並べて施工される木質パネルの取付構造であって、
木質パネルを屋内壁面から離間した状態で屋内壁面に取り付けるための取付金具を備え、
前記取付金具は、両側にパネル支持部が設けられる狭幅体と、両側にパネル支持部が設けられ、かつ前記狭幅体よりも幅が広い広幅体とを有し、
前記取付金具がその狭幅体の両側パネル支持部に、隣り合う木質パネルの対向縁部をそれぞれ支持しつつ、屋内壁面に取り付けられるパネル間近接形態と、前記取付金具がその広幅体の両側パネル支持部に、隣り合う木質パネルの対向縁部をそれぞれ支持しつつ、屋内壁面に取り付けられるパネル間隔離形態との間で選択して、木質パネルが屋内壁面に取り付けられるよう構成され、
前記パネル間隔離形態では、隣り合う木質パネルの対向縁部が離間して配置されるとともに、前記パネル間近接形態では、隣り合う木質パネルの対向縁部が、前記パネル間隔離形態の場合と比べて近接して配置されるよう構成されたことを特徴とする木質パネルの取付構造。
【請求項２】
前記パネル間近接形態では、隣り合う木質パネルの対向縁部同士が接触することにより、隣り合う木質パネル間に隙間が形成されないようになっている請求項１に記載の木質パネルの取付構造。
【請求項３】
隣り合う木質パネルの対向縁部の各裏面側が、前記取付金具によってそれぞれ支持される一方、
隣り合う木質パネルの対向縁部のうち、一方側の対向縁部における表面側に、他方側の対向縁部に向けて突出する庇片が設けられる請求項１または２に記載の木質パネルの取付構造。
【請求項４】
前記他方側の対向縁部における裏面側に、前記一方側対向縁部に向けて突出する下あご片が設けられ、
前記パネル間隔離形態では、前記庇片が前記下あご片の表面側を覆うように配置される請求項３に記載の木質パネルの取付構造。
【請求項５】
前記取付金具は、その広幅体の前面に狭幅体が積層された積層構造を有し、
前記パネル間近接形態では、前記広幅体が屋内壁面側に配置されるとともに、前記狭幅体が木質パネル側に配置されて、前記広幅体が木質パネルを屋内壁面に対し離間した状態に保持するためのスペーサーとして機能し、
前記パネル間隔離形態では、前記狭幅体が屋内壁面側に配置されるとともに、前記広幅体が木質パネル側に配置されて、前記狭幅体が木質パネルを屋内壁面に対し離間した状態に保持するためのスペーサーとして機能するように構成される請求項１〜４のいずれか１項に記載の木質パネルの取付構造。
【請求項６】
木質パネルは、帯板形状を有し、木質パネルが屋内壁面に並列に複数並んで配置される請求項１〜５のいずれか１項に記載の木質パネルの取付構造。
【請求項７】
屋内壁面に沿って複数の木質パネルを並べて施工するに際して、木質パネルを屋内壁面から離間した状態で屋内壁面に取り付けるための木質パネル施工用の取付金具であって、
両側にパネル支持部が設けられる狭幅体と、
両側にパネル支持部が設けられ、かつ前記狭幅体よりも幅が広い広幅体とを備え、
前記狭幅体の両側パネル支持部に、隣り合う木質パネルの対向縁部をそれぞれ支持しつつ、屋内壁面に取り付けられるパネル間近接形態と、前記広幅体の両側パネル支持部に、隣り合う木質パネルの対向縁部をそれぞれ支持しつつ、屋内壁面に取り付けられるパネル間隔離形態との間で選択して、木質パネルが屋内壁面に取り付けられるよう構成され、
前記パネル間隔離形態では、隣り合う木質パネルの対向縁部が離間して配置されるとともに、前記パネル間近接形態では、隣り合う木質パネルの対向縁部が、前記パネル間隔離形態の場合と比べて近接して配置されるよう構成されたことを特徴とする木質パネル施工用の取付金具。
【発明の詳細な説明】
【技術分野】
【０００１】
この発明は、一般家屋等の屋内壁面に沿って複数の木質パネルが並べて施工される木質パネルの取付構造および木質パネル施工用の取付金具に関する。
【背景技術】
【０００２】
一般住宅における室内の壁面構造としては、壁面に壁紙を貼り付けたり、木質パネル（化粧パネル）を複数並べて貼り付けたものが周知である。
【０００３】
このうち下記特許文献１に示すように、木質パネルを用いるものは、木材自身が保有する湿度調整機能（調湿機能）によって、快適な居住環境を得ることができる。
【先行技術文献】
【特許文献】
【０００４】
【特許文献１】特開２００１−２７０３３号
【発明の概要】
【発明が解決しようとする課題】
【０００５】
しかしながら、上記特許文献１に示す従来の木質パネルの取付構造のように、木質パネルを単に、壁面に貼り付けるだけでは、木質パネルによる十分な調湿性能を得ることは困難である、という問題を抱えている。
【０００６】
その一方、調湿性能を向上させるだけでは、ユーザーの多様なニーズに十分に答えることができず、例えば施工場所や施工目的によって、異なる形態で木質パネルを施工できるような技術の開発も望まれるところである。
【０００７】
この発明は、上記の課題に鑑みてなされたものであり、調湿性能を向上できる上さらに、必要に応じて、異なる形態で木質パネルを取り付けることができる木質パネルの取付構造および木質パネル施工用の取付金具を提供することを目的とする。
【課題を解決するための手段】
【０００８】
上記課題を解決するため、本発明は、以下の手段を備えるものである。
【０００９】
［１］屋内壁面に沿って複数の木質パネルが並べて施工される木質パネルの取付構造であって、
木質パネルを屋内壁面から離間した状態で屋内壁面に取り付けるための取付金具を備え、
前記取付金具は、両側にパネル支持部が設けられる狭幅体と、両側にパネル支持部が設けられ、かつ前記狭幅体よりも幅が広い広幅体とを有し、
前記取付金具がその狭幅体の両側パネル支持部に、隣り合う木質パネルの対向縁部をそれぞれ支持しつつ、屋内壁面に取り付けられるパネル間近接形態と、前記取付金具がその広幅体の両側パネル支持部に、隣り合う木質パネルの対向縁部をそれぞれ支持しつつ、屋内壁面に取り付けられるパネル間隔離形態との間で選択して、木質パネルが屋内壁面に取り付けられるよう構成され、
前記パネル間隔離形態では、隣り合う木質パネルの対向縁部が離間して配置されるとともに、前記パネル間近接形態では、隣り合う木質パネルの対向縁部が、前記パネル間隔離形態の場合と比べて近接して配置されるよう構成されたことを特徴とする木質パネルの取付構造。
【００１０】
［２］前記パネル間近接形態では、隣り合う木質パネルの対向縁部同士が接触することにより、隣り合う木質パネル間に隙間が形成されないようになっている前項１に記載の木質パネルの取付構造。
【００１１】
［３］隣り合う木質パネルの対向縁部の各裏面側が、前記取付金具によってそれぞれ支持される一方、
隣り合う木質パネルの対向縁部のうち、一方側の対向縁部における表面側に、他方側の対向縁部に向けて突出する庇片が設けられる前項１または２に記載の木質パネルの取付構造。
【００１２】
［４］前記他方側の対向縁部における裏面側に、前記一方側対向縁部に向けて突出する下あご片が設けられ、
前記パネル間隔離形態では、前記庇片が前記下あご片の表面側を覆うように配置される前項３に記載の木質パネルの取付構造。
【００１３】
［５］前記取付金具は、その広幅体の前面に狭幅体が積層された積層構造を有し、
前記パネル間近接形態では、前記広幅体が屋内壁面側に配置されるとともに、前記狭幅体が木質パネル側に配置されて、前記広幅体が木質パネルを屋内壁面に対し離間した状態に保持するためのスペーサーとして機能し、
前記パネル間隔離形態では、前記狭幅体が屋内壁面側に配置されるとともに、前記広幅体が木質パネル側に配置されて、前記狭幅体が木質パネルを屋内壁面に対し離間した状態に保持するためのスペーサーとして機能するように構成される前項１〜４のいずれか１項に記載の木質パネルの取付構造。
【００１４】
［６］木質パネルは、帯板形状を有し、木質パネルが屋内壁面に並列に複数並んで配置される前項１〜５のいずれか１項に記載の木質パネルの取付構造。
【００１５】
［７］屋内壁面に沿って複数の木質パネルを並べて施工するに際して、木質パネルを屋内壁面から離間した状態で屋内壁面に取り付けるための木質パネル施工用の取付金具であって、
両側にパネル支持部が設けられる狭幅体と、
両側にパネル支持部が設けられ、かつ前記狭幅体よりも幅が広い広幅体とを備え、
前記狭幅体の両側パネル支持部に、隣り合う木質パネルの対向縁部をそれぞれ支持しつつ、屋内壁面に取り付けられるパネル間近接形態と、前記広幅体の両側パネル支持部に、隣り合う木質パネルの対向縁部をそれぞれ支持しつつ、屋内壁面に取り付けられるパネル間隔離形態との間で選択して、木質パネルが屋内壁面に取り付けられるよう構成され、
前記パネル間隔離形態では、隣り合う木質パネルの対向縁部が離間して配置されるとともに、前記パネル間近接形態では、隣り合う木質パネルの対向縁部が、前記パネル間隔離形態の場合と比べて近接して配置されるよう構成されたことを特徴とする木質パネル施工用の取付金具。
【発明の効果】
【００１６】
発明［１］の木質パネルの取付構造によれば、木質パネルを壁面から離間した状態に配置しているため、木質パネル全周面における屋内空気との接触面積を大きく確保でき、木質パネルによる屋内空気に対する吸放出を十分に行うことができ、室内の調湿性能を向上させることができる。
【００１７】
さらに本発明は、パネル間の間隔が広くなるパネル間隔離形態と、狭くなるパネル間近接形態とのいずれの形態でも施工できるため、所望の形態での施工が可能となり、汎用性を向上させることができる。
【００１８】
発明［２］の木質パネルの取付構造によれば、パネル間近接形態を選択した際に、パネル間に隙間が形成されないため、意匠性を確実に向上させることができる。
【００１９】
発明［３］の木質パネルの取付構造によれば、庇片によって、パネル間の隙間を隠蔽できて、パネル表面側から壁面が不用意にも視認されるのを防止することができる。
【００２０】
発明［４］の木質パネルの取付構造によれば、庇片および下あご片によって、パネル間の隙間をより確実に隠蔽できて、パネル表面側から壁面が不用意にも視認されるのを、より確実に防止することができる。
【００２１】
発明［５］の木質パネルの取付構造によれば、狭幅体または広幅体をスペーサーとして兼用できるため、部位の共用化により、構造の簡素化およびコストの削減を図ることができる。
【００２２】
発明［６］の木質パネルの取付構造によれば、帯状の木質パネルが並列に複数並んで配置されるため、意匠性の高い壁面構造を形成することができる。
【００２３】
発明［７］の木質パネル施工用の取付金具によれば、上記と同様に、同様の作用効果を得ることができる。
【図面の簡単な説明】
【００２４】
【図１】図１はこの発明の実施形態である木質パネルの取付構造が適用された室内の壁面構造を示す正面図である。
【図２】図２は実施形態の壁面構造を示す側面断面図である。
【図３Ａ】図３Ａはパネル間近接形態が採用された実施形態の壁面構造における取付金具周辺を拡大して示す側面断面図である。
【図３Ｂ】図３Ｂは図３Ａの分解断面図である。
【図４Ａ】図４Ａはパネル間隔離形態が採用された実施形態の壁面構造における取付金具周辺を拡大して示す側面断面図である。
【図４Ｂ】図４Ｂは図４Ａの分解断面図である。
【図５】図５は実施形態に適用された取付金具を示す斜視図である。
【図６】図６は実施形態に適用された取付金具を示す断面図である。
【図７】図７は実施形態に適用された取付金具を示す図であって、同図（ａ）は前面図、同図（ｂ）は側面図、同図（ｃ）は後面図、同図（ｄ）は平面図である。
【図８】図８は実施形態に適用された木質パネルの側面図である。
【発明を実施するための形態】
【００２５】
図１はこの発明の実施形態である木質パネルの取付構造が適用された室内の壁面構造を示す正面図、図２は側面断面図である。
【００２６】
両図に示すように、この壁面構造は、一般住宅における室内の壁面（屋内壁面）Ｗに、多数の木質パネル１が取付金具５を介して取り付けられている。
【００２７】
壁面Ｗは、例えば間柱や胴縁の室内側に、多数の合板が面状に並べて貼り付けられるとともに、その合板上に、多数の石膏ボードが面状に並べて貼り付けられて構成されている。
【００２８】
木質パネル１は、所定の長さを有する帯板の形状を有している。この木質パネル１は、杉や檜等からなる３枚の板材が、木目方向を交互に直交させるように配置した状態で積層された板材積層体によって構成されている。従って積層された３枚の板材のうち、表面側の板材（表面板材）および裏面側の板材（裏面板材）は木目方向が一致し、表面板材および裏面板材間に配置される中間の板材（中間板材）は表面板材および裏面板材に対し木目方向が直交している。
【００２９】
なお本実施形態においては、表面板材および裏面板材の木目方向がパネル長さ方向（横方向）に一致し、中間板材の木目方向がパネル幅方向（縦方向）に一致するように構成されている。
【００３０】
図３Ｂ，４Ｂ，８に示すように、木質パネル１の一側縁部（下側縁部）２は、その裏面側が階段状に切り欠かれることによって、表面側に庇片２１が一側方（下方）に突出するように形成され、さらに庇片２１の裏面側に中間凹段部２２が形成されるとともに、その中間凹段部２２の裏面側に裏面凹段部２３が形成されている。
【００３１】
中間凹段部２２および裏面凹段部２３間には、パネル長さ方向に連続する切込溝２４が形成され、それにより、裏面凹段部２３の側端面に、後に詳述する取付金具５に嵌合可能な嵌合凸部２５が形成されている。
【００３２】
なお本実施形態において、木質パネル１の一側縁部２は、庇片２１、中間凹段部２２および裏面凹段部２３を含むものである。さらに本実施形態において、一側縁部２の表面側は、庇片２１によって構成されるとともに、一側縁部２の裏面側は、嵌合凸部２５を含む裏面凹段部２３によって構成されている。
【００３３】
木質パネル１の他側縁部（上側縁部）３は、その表面側が切り欠かれることによって、裏面側に下あご片３１が他側方（上方）に突出するように形成されるとともに、下あご片３１の表面側に表面凹段部３２が形成されている。
【００３４】
木質パネル１における下あご片３１の先端面には、パネル長さ方向に連続する切込溝３４が形成され、下あご片３１における切込溝３４よりも裏面側の部分が、後に詳述するように取付金具５に嵌合可能な嵌合凸部３５として構成されている。
【００３５】
なお本実施形態において、木質パネル１の他側縁部３は、下あご片３１および表面凹段部３２を含むものである。さらに本実施形態において、他側縁部３の表面側は、表面凹段部３２によって構成されるとともに、他側縁部３の裏面側は、嵌合凸部３５を含む下あご片３１によって構成されている。
【００３６】
一方図５〜７に示すように、取付金具５は、狭幅枠体６および広幅枠体７が前後に一体に積層された積層構造を有している。
【００３７】
両枠体６，７は、共に正面視において矩形状に形成されており、長さ寸法（図７（ａ）の左右方向の寸法）が等しく形成されるとともに、図６に示すように狭幅枠体６の幅寸法Ｈ６が、広幅枠体７の幅寸法Ｈ７よりも狭く形成されている。
【００３８】
さらに両枠体６，７の両側における狭幅枠体６の前端位置、両枠体６，７の中間位置および広幅枠体７の後端位置には、幅方向両側に向けて突出し、かつ長さ方向に連続して延びる溝壁部５５，６５，７５が一体に形成されている。これにより、狭幅枠体６の両側部における溝壁部５５，６５間に、幅方向両側に向けて開放され、かつ長さ方向に連続して延びる嵌合溝６１，６１がそれぞれ形成されるとともに、広幅枠体７の両側部における溝壁部５５，７５間に、幅方向両側に向けて開放され、かつ長さ方向に連続して延びる嵌合溝７１，７１がそれぞれ形成される。
【００３９】
ここで図６に示すように、狭幅枠体６の嵌合溝６１，６１における互いの底壁面間の寸法は、狭幅枠体６の幅寸法Ｈ６に相当し、広幅枠体７の上下の嵌合溝７１，７１における互いの底壁面間の寸法は、広幅枠体７の幅寸法Ｈ７に相当し、既述したように、狭幅枠体幅寸法Ｈ６は、広幅枠体幅寸法Ｈ７よりも小さく（狭く）なっている。
【００４０】
また取付金具５の狭幅枠体６および広幅枠体７間には仕切壁５０が設けられ、この仕切壁５０の中央部には、両枠体６，７に通じるビス挿通孔５１が形成されている。このビス挿通孔５１は、狭幅枠体６の前面開口を介して前方に開放されるとともに、広幅枠体７の後面開口を介して後方に開放されている。
【００４１】
なお本実施形態においては、嵌合溝６１，７１が、隣り合う木質パネル１，１の対向縁部２，３を支持するためのパネル支持部として構成されている。さらに言うまでもなく、狭幅枠体６が狭幅体として構成されるとともに、広幅枠体７が広幅体として構成されている。
【００４２】
本実施形態においては、各木質パネル１が左右方向（水平方向）に沿って配置された状態で、上下方向に並列に複数並べて配置されるようにして、壁面Ｗに施工されるものであり、後に詳述するように各木質パネル１の上下両側縁部２，３が、その両側縁部２，３に沿って所定の間隔おきに配置された複数の取付金具５を介して、壁面Ｗに支持固定されるものである。
【００４３】
さらに本実施形態において、各木質パネル１は、その一側縁部２側が下方側に配置されるとともに、他側縁部３側が上方に配置されるように施工される。従って本実施形態においては、必要に応じて、木質パネル１の「一側縁部２」を「下側縁部２」と称し、「他側縁部３」を「上側縁部３」と称する。
【００４４】
なお、本実施形態において、隣り合う木質パネル１，１の対向縁部２，３は、上下に隣り合う木質パネル１，１のうち、上側の木質パネル１における一側縁部（下側縁部）２と、下側の木質パネル１における他側縁部（上側縁部）３によって構成されるものである。
【００４５】
本実施形態では、木質パネル１を施工するに際して、木質パネル１が、上下に隣り合うパネル間に隙間が形成されないパネル間近接形態と、適度な隙間が形成されるパネル間隔離形態とのいずれの形態においても施工できるようになっている。
【００４６】
まず始めに、パネル間に隙間が形成されないパネル間近接形態で施工する場合について説明する。
【００４７】
すなわち図３Ａ，３Ｂに示すように、壁面Ｗにおける１段目の木質パネル１の一側縁部（下側縁部）２を固定する位置に、複数の取付金具５を左右方向（水平方向）に沿って適当な間隔おきに取り付ける。このとき各取付金具５は、その狭幅枠体６を表面側（パネル側）に配置するとともに、広幅枠体７を裏面側（壁面側）に沿わせて配置し、その状態で、狭幅枠体６側（表面側）からビス５２をビス挿通孔５１に挿通して壁面Ｗにねじ込むことにより、各取付金具５を壁面Ｗにそれぞれ固定する。なお各取付金具５は、その長さ方向を左右方向（水平方向）に沿わせた状態に配置して、両側嵌合溝６１，６１を上下両側に配置する。
【００４８】
こうして固定された各取付金具５における狭幅枠体６の上側の嵌合溝６１内に、１段目の木質パネル１の一側縁部（下側縁部）２における嵌合凸部２５をそれぞれ嵌合し、これにより木質パネル１の下側縁部２を、複数の取付金具５を介して壁面Ｗに支持する。
【００４９】
次に、１段目の木質パネル１の他側縁部（上側縁部）３に、その上側縁部３に沿って所定の間隔おきに複数の取付金具５を設置する。つまり木質パネル１の上側縁部３における嵌合凸部３５に、取付金具５における狭幅枠体６の下側の嵌合溝６１を外嵌する。このとき取付金具５は、その狭幅枠体６が表面側に配置されるように、広幅枠体７を裏面側（壁面側）に配置しておく。
【００５０】
そして各取付金具５の広幅枠体７を壁面Ｗに沿わせるように配置した状態で、取付金具５の狭幅枠体６側（表面側）からビス５２をビス挿通孔５１に挿通して壁面Ｗにねじ込むことにより、取付金具５を壁面Ｗに固定する。こうして１段目の木質パネル１の上側縁部３を、複数の取付金具５を介して壁面Ｗに固定する。
【００５１】
続いて、１段目の木質パネル１の上側縁部３を支持する複数の取付金具５における各狭幅枠体６の上側嵌合溝６１内に、２段目の木質パネル１の下側縁部２を上記と同様に差し込んで、壁面Ｗに支持する。
【００５２】
さらに２段目の木質パネル１の上側縁部３を、複数の取付金具５を介して壁面Ｗに支持する。このときも上記と同様に、取付金具５は、その狭幅枠体６を表面側に配置し、広幅枠体７を裏面側に配置する。
【００５３】
以下同様にして、複数の取付金具５および木質パネル１を順次施工することによって、壁面Ｗにおけるパネル取付予定部全域に、木質パネル１が取り付けられて、施工作業が完了する。
【００５４】
このようにパネル間近接形態によって施工された壁面構造においては、上下に隣り合う木質パネル１，１の対向縁部２，３が、取付金具５における幅の狭い側の狭幅枠体６の両側嵌合溝６１，６１に支持されているため、上下の木質パネル１，１が近接した状態に配置される。具体的には、上側木質パネル１の下側縁部２における庇片２１の先端が、下側木質パネル１の上側縁部３における表面凹段部３２の側端面に当接し、表面（室内）から見た状態において、上下に隣り合う木質パネル１，１間に隙間が形成されない状態となる。
【００５５】
またこのパネル間近接形態において、広幅枠体７は、木質パネル１を支持する狭幅枠体６と壁面Ｗとの間に介在することにより、木質パネル１を壁面Ｗに対し離間した状態に保持するためのスペーサーとして機能する。
【００５６】
一方、パネル間に隙間が形成されるパネル間隔離形態で施工する場合、以下に説明するように、取付金具５を、パネル間近接形態とは異なり、前後を反転させた状態にして施工するものである。
【００５７】
すなわち図４Ａ，４Ｂに示すように、壁面Ｗにおける１段目の木質パネル１の下側縁部２を固定する位置に、複数の取付金具５を左右方向（水平方向）に沿って適当な間隔おきに取り付ける。このとき各取付金具５は、その広幅枠体７を表面側（パネル側）に配置するとともに、狭幅枠体６を裏面側（壁面側）に沿わせて配置し、その状態で、広幅枠体７側（表面側）からビス５２をビス挿通孔５１に挿通して壁面Ｗにねじ込むことにより、各取付金具５を壁面Ｗにそれぞれ固定する。なお各取付金具５は、その長さ方向を左右方向（水平方向）に沿わせた状態に配置し、両側嵌合溝７１，７１を上下両側に配置する。
【００５８】
こうして固定された各取付金具５における広幅枠体７の上側の嵌合溝７１内に、１段目の木質パネル１の下側縁部２における嵌合凸部２５をそれぞれ嵌合し、これにより木質パネル１の下側縁部２を、複数の取付金具５を介して壁面Ｗに支持する。
【００５９】
次に、１段目の木質パネル１の上側縁部３に、その上側縁部３に沿って所定の間隔おきに複数の取付金具５を設置する。つまり木質パネル１の上側縁部３における嵌合凸部３５に、取付金具５における広幅枠体６７の下側の嵌合溝７１に外嵌する。このとき取付金具５は、その広幅枠体７が表面側に配置されるように、狭幅枠体６を裏面側（壁面側）に配置しておく。
【００６０】
そして各取付金具５の狭幅枠体６を壁面Ｗに沿わせるように配置した状態で、取付金具５の広幅枠体７側（表面側）からビス５２をビス挿通孔５１に挿通して壁面Ｗにねじ込むことにより、取付金具５を壁面Ｗに固定する。こうして１段目の木質パネル１の上側縁部３を、複数の取付金具５を介して壁面Ｗに固定する。
【００６１】
続いて、１段目の木質パネル１の上側縁部３を支持する複数の取付金具５における各広幅枠体７の上側嵌合溝７１内に、２段目の木質パネル１の下側縁部２を上記と同様に差し込んで、壁面Ｗに支持する。このときも上記と同様に、取付金具５は、その狭幅枠体６を表面側に配置し、広幅枠体７を裏面側に配置する。
【００６２】
さらに２段目の木質パネル１の上側縁部３を複数の取付金具５を介して壁面Ｗに支持する。
【００６３】
以下同様にして、複数の取付金具５および木質パネル１を順次施工することによって、壁面Ｗに所定数の木質パネル１を施工するものである。
【００６４】
このようにパネル間隔離形態によって施工された壁面構造においては、上下に隣り合う木質パネル１，１の対向縁部２，３が、取付金具５における幅の広い側の広幅枠体７の両側嵌合溝７１，７１に支持されているため、上下の木質パネル１，１が離間した状態に配置される。具体的には、上側木質パネル１の下側縁部２における庇片２１の先端が、下側木質パネル１の上側縁部３における表面凹段部３２の側端面から離間して配置されて、隣り合う木質パネル１，１間に壁面Ｗに通ずる隙間が形成された状態となる。
【００６５】
またこのパネル間隔離形態においては、狭幅枠体６が、木質パネル１を支持する広幅枠体７と壁面Ｗとの間に介在することにより、木質パネル１を壁面Ｗに対し離間した状態に保持するためのスペーサーとして機能する。
【００６６】
なお言うまでもなく、本発明において、施工手順は、上記のものに限定されるものではなく、どのような手順で施工するようにしても良い。
【００６７】
以上のように、本実施形態の木質パネルの取付構造によれば、室内の調湿性能を向上させることができる。すなわち木質材は、その表裏両面、左右両側端面および上下両側端面を含む全周面から、水分（湿気成分）を吸収したり、放出することにより、周辺の湿度を適正に調整するものであるため、木質パネル１の全周面のうち、室内の空気（雰囲気）と接触する面積が大きくなるほど、吸放出量を多くでき、調湿性能を向上させることができる。
【００６８】
そこで本実施形態においては、木質パネル１を壁面Ｗから離間した状態に配置するものであるため、木質パネル１の表裏両面を共に室内空気に接触させることができ、木質パネル１の全周面における室内空気（屋内空気）との接触面積を大きく確保することができる。このため各木質パネル１による室内空気に対する吸放出を十分に行うことができ、室内の調湿性能を十分に確保できて、快適な居住空間を確保することができる。
【００６９】
特にパネル間隔離形態においては、隣り合う木質パネル１，１間に、パネル裏面に通じる隙間を形成しているため、その隙間を通って、室内の空気が、パネル裏面側と表面側との間で循環し易くなり、パネル裏面での吸放出をより確実に行うことができ、より一層調湿性能を向上させることができる。
【００７０】
なおパネル間隔離形態では、隣り合う木質パネル１，１において、上側の木質パネル１の下側縁部２における庇片２１が、下側の木質パネル１の上側縁部３における表面凹段部３２の表面側に配置されて、パネル間の隙間を被覆しているため、室内側からパネル間を通して壁面Ｗが視認されるような不具合を確実に防止することができる。
【００７１】
また本実施形態においては、パネル間に隙間が形成されないパネル間近接形態と、隙間が形成されるパネル間隔離形態とのいずれの形態でも施工できるようにしているため、居住者等のユーザーは、施工場所や施工目的に応じて、上記２つの形態の中から、好ましい形態を選択することができる。例えばリビングルーム等の場所では、パネル間近接形態で施工することによって、パネル間に隙間が形成されず、意匠性の高い壁面構造を形成できる一方、寝室等の場所では、パネル間隔離形態で施工することによって、より一層優れた調湿性能が得られ、より一層快適な居住空間を得ることができる。このようにユーザーのニーズ等に合わせて、調湿性能を重視したり、意匠性を重視した壁面構造を形成することが可能であり、選択肢が増えて、汎用性を向上させることができ、高い商品価値を得ることができる。
【００７２】
また本実施形態では、パネル間近接形態およびパネル間隔離形態のいずれにおいても１種類の取付金具５によって施工できるようにしているため、部品点数の削減によって、コストを削減できる上、部品（取付金具５）の種類を間違えたりするようなミスが生じるのも確実に防止でき、パネル施工作業を簡単に行うことができる。
【００７３】
さらに本実施形態においては、木質パネル１の構成材料として、杉や檜を用いているため、より一層調湿性能を向上させることができる。すなわち杉や檜は、針葉樹材で比重が小さく、木材の中でも、湿気成分の吸放出機能が大きいため、上記の調湿性能をより向上させることができる。
【００７４】
また本実施形態において、例えば、木質パネル１の表面や裏面に溝や凸筋等の凹凸形状を形成することによって、木質パネル１の外表面積をさらに増大させることができ、調湿性能を一層向上させることができる。
【００７５】
さらに本実施形態においては、取付金具５における狭幅枠体６および広幅枠体７のいずれか一方をスペーサーとして機能させるものであるため、部位の共有化により、取付金具５自体の構造の簡素化およびコストの削減を図ることができ、ひいてはパネル取付構造全体の簡素化およびコストの削減を図ることができる。
【００７６】
ところで、本実施形態のパネル取付構造が適用された壁面構造において、液晶テレビ、プラズマテレビ、リアプロジェクションテレビ、有機ＥＬテレビ、ＦＥＤテレビ等の薄型テレビのディスプレイパネルを壁掛け状態で取り付けるような場合や、ＡＶシステムのスピーカーを壁掛け状態で取り付けるような場合には、木質パネルと壁面との間の空間（隙間）にテレビ用やスピーカー用等の電気配線を敷設することができる。これにより、スペースの有効利用を図りつつ、配線を隠蔽できて、美観を向上できる上さらに、配線を自在に張りめぐらせることができて、汎用性を向上させることができる。
【００７７】
さらに壁掛けされた薄型テレビ等の電気製品の関連機器例えば、テレビチューナー、ＨＤＤレコーダー、ステレオチューナー、ステレオアンプ等を木質パネルと壁面との間の空間に収容することも可能であり、それによって、より一層、スペースの有効利用およびデザイン性の向上を図ることができる。
【００７８】
なお上記実施形態においては、木質パネル１として帯板形状のものを用いているが、それだけに限られず、本発明において、木質パネルの形状は特に限定されるものではなく、正方形や長方形等の四角形状のもの、四角形以外の多角形状のもの、異形状のものを用いても良い。さらに異なる大きさの木質パネルを複合して用いるようにしても良い。
【００７９】
また上記実施形態においては、ひとつの壁面を仕上げるに際して、パネル間近接形態と、パネル間隔離形態とのいずれか一方のみで施工するようにしているが、それだけに限られず、本発明においては、ひとつの壁面に対し、パネル間近接形態と、パネル間隔離形態とを併用して施工するようにしても良い。例えば木質パネルを１枚毎にパネル間近接形態とパネル間隔離形態とで交互に施工することにより、２枚毎にパネル間に隙間が形成されるように施工しても良い。さらに多数のパネル間のうち、ランダムな位置のパネル間に隙間を形成するようにしても良い。
【００８０】
また上記実施形態において、パネル間近接形態では、隣り合う木質パネルの対向縁部を接触させるようにしているが、それだけに限られず、本発明において、パネル間近接形態では、隣り合う木質パネルの対向縁部を必ずしも接触させる必要はなく、隣り合う木質パネルの対向縁部の間隔が、パネル間隔離形態の場合よりも狭くなっていれば良い。
【００８１】
さらに上記実施形態においては、木質パネルを、その庇片が形成される側の縁部（一側縁部）を上側して施工するようにしているが、それだけに限られず、本発明においては、庇片が形成される側の縁部（一側縁部）を下側して施工するようにしても良い。
【００８２】
また上記実施形態においては、帯板形状の木質パネル１を横方向（水平方向）に沿わせた状態で、上下方向に並列に並べて複数配置するように施工する場合を例に挙げて説明したが、本発明において、木質パネルの配列方向は限定されるものではない。例えば本発明において、帯板形状の木質パネル１を縦方向（垂直方向）に沿わせて配置した状態で、横方向に並列に並べて複数配置するように施工しても良い。
【００８３】
また上記実施形態においては、木質パネルとして、３枚の板材が積層された板材積層体によって構成されたものを使用しているが、それだけに限られず、本発明においては、木質パネルを１枚の板材、２枚の板材、または４枚以上の板材が積層された板材積層体によって構成するようにしても良い。
【００８４】
さらに本発明において、木質パネルは、部分的に、合成樹脂や合成ゴム等の非木質系の部材が含まれていても良い。
【産業上の利用可能性】
【００８５】
この発明の木質パネルの取付構造は、屋内の壁面に沿って複数の木質パネルが並べて施工される壁面構造に利用可能である。
【符号の説明】
【００８６】
１：木質パネル
２：一側縁部（下側縁部、対向縁部）
２１：庇片
３：他側縁部（上側縁部、対向縁部）
３１：下あご片
５：取付金具
６：狭幅枠体（狭幅体）
６１：嵌合溝（パネル支持部）
７：広幅枠体（広幅体）
７１：嵌合溝（パネル支持部）
Ｈ６：幅寸法
Ｈ７：幅寸法
Ｗ：壁面（屋内壁面）
【図１】
2011006868.tif 000003
【図２】
2011006868.tif 000004
【図３Ａ】
2011006868.tif 000005
【図３Ｂ】
2011006868.tif 000006
【図４Ａ】
2011006868.tif 000007
【図４Ｂ】
2011006868.tif 000008
【図５】
2011006868.tif 000009
【図６】
2011006868.tif 000010
【図７】
2011006868.tif 000011
【図８】
2011006868.tif 000012